(57)【特許請求の範囲】
【請求項１】
オーディオ情報が記録された記録媒体から、前記オーディオ情報を再生し、出力するオーディオ情報再生出力手段と、
前記記録媒体から、前記オーディオ情報に関連するテキスト情報を再生するテキスト情報再生手段と、
複数の画像情報を格納する画像情報格納手段と、
前記画像情報格納手段から、前記テキスト情報再生手段で再生された前記テキスト情報に関連する画像情報を検索する検索手段と、
前記検索手段で検索された画像情報を出力する出力手段と、
前記記録媒体から得られる識別子と、当該記録媒体を特定するテキスト情報とを、対応付けて格納するテキスト情報格納手段と、
を備え、
前記記録媒体からテキスト情報が得られないときには、前記検索手段は、前記オーディオ情報再生出力手段での再生出力対象の記録媒体からの識別子に基づき、前記テキスト情報格納手段から対応する前記テキスト情報を読み出し、この読み出したテキスト情報に基づいて、前記画像情報格納手段から、画像情報を検索する
ことを特徴とする再生装置。
【請求項２】
オーディオ情報が記録された記録媒体から、前記オーディオ情報を再生し、出力するオーディオ情報再生出力手段と、
前記記録媒体から得られる識別子と、当該記録媒体を特定するテキスト情報とを、対応付けて格納するテキスト情報格納手段と、
複数の画像情報を格納する画像情報格納手段と、
前記オーディオ情報再生出力手段での再生出力対象の記録媒体からの識別子に基づき、前記テキスト情報格納手段から対応する前記テキスト情報を読み出し、この読み出したテキスト情報に基づいて、前記画像情報格納手段から、画像情報を検索する検索手段と、
前記検索手段で検索された画像情報を出力する出力手段と、
前記記録媒体から、前記オーディオ情報に関連するテキスト情報を再生するテキスト情報再生手段と、
を備え、
前記テキスト情報格納手段に前記記録媒体から得られる識別子に対応するテキスト情報がないときには、前記検索手段は、前記画像情報格納手段から、前記テキスト情報再生手段で再生された前記テキスト情報に基づいて、画像情報を検索する
ことを特徴とする再生装置。
【請求項３】
請求項１または請求項２に記載の再生装置において、
前記出力手段は、表示装置への前記画像情報の出力端子であることを特徴とする再生装置。
【請求項４】
請求項１または請求項２に記載の再生装置において、
前記出力手段は、画像表示画面を備える表示素子を有し、前記検索された画像情報を前記画像表示画面に表示することを特徴とする再生装置。
【請求項５】
請求項１〜請求項４のいずれかに記載の再生装置において、
画像情報が記録された記録媒体から、前記画像情報を再生する画像再生手段と、
前記画像再生手段からの画像情報を前記出力手段により出力する手段と、
を備えることを特徴とする再生装置。
【請求項６】
請求項１または請求項２に記載の再生装置において、
前記テキスト情報再生手段により前記記録媒体から再生された前記テキスト情報を、前記記録媒体の識別子と対応を付けて、前記テキスト情報格納手段に格納することを特徴とする再生装置。
【請求項７】
オーディオ情報が記録された記録媒体から、前記オーディオ情報を再生し、出力する際に、前記記録媒体から、前記オーディオ情報に関連するテキスト情報を再生する再生工程と、
画像情報格納部に格納された複数の画像情報から、前記再生工程で再生されたテキスト情報に関連する画像情報を検索する検索工程と、
前記検索工程で検索された画像情報による再生画像を、画像表示画面に表示する表示工程と、
を備え、
前記検索工程では、前記記録媒体からテキスト情報が得られないときには、前記再生工程での再生対象の記録媒体からの識別子に基づき、前記記録媒体から得られる識別子と当該記録媒体を特定するテキスト情報とを対応付けて格納するテキスト情報格納部から、対応する前記テキスト情報を読み出し、この読み出したテキスト情報に基づいて、前記画像情報格納部から、画像情報を検索する
ことを特徴とする再生方法。
【請求項８】
オーディオ情報が記録された記録媒体から、前記オーディオ情報を再生し、出力する際に、前記記録媒体からその識別子を読み出す識別子読み出し工程と、
前記識別子読み出し工程で読み出した前記記録媒体の識別子に基づき、予めテキスト情報格納部に格納されている前記記録媒体の識別子と対応する当該記録媒体を特定するためのテキスト情報を読み出すテキスト情報読み出し工程と、
前記テキスト情報読み出し工程で読み出したテキスト情報に基づいて、画像情報格納部に格納された複数の画像情報から、前記テキスト情報に関連する画像情報を検索する検索工程と、
前記検索工程で検索された画像情報による再生画像を、画像表示画面に表示するようにする表示工程と、
を備え、
前記検索工程では、前記テキスト情報格納手段に前記記録媒体から得られる識別子に対応するテキスト情報がないときには、前記記録媒体から、前記オーディオ情報に関連するテキスト情報を再生し、当該再生した前記テキスト情報に基づいて、前記画像情報格納部から、画像情報を検索する
ことを特徴とする再生方法。
【発明の詳細な説明】
【０００１】
【発明の属する技術分野】
この発明は、オーディオ情報を再生、出力する機能のほかに、画像情報を表示画面に表示させるようにすることができる機能を備える再生装置に適用して好適な再生装置および再生方法に関する。
【０００２】
【従来の技術】
従来、音楽の再生には、コンパクトディスク（ＣＤ）が広く用いられている。周知のように、ＣＤは、直径が１２（または８）ｃｍの光ディスクに、デジタルオーディオ信号を記録したものである。
【０００３】
近年、ＣＤと同じく１２ｃｍの直径で、かつ、同じ記録密度で、圧縮動画情報を記録したビデオＣＤや、ＣＤと同じく１２ｃｍの直径で、記録密度を格段に高めて、例えば、片面４．７ＧＢの大容量とし、１３３分の圧縮動画情報の記録を可能としたＤＶＤ（Digital Versatile Disk）と、それぞれの再生装置とが登場してきた。
【０００４】
上述のように圧縮動画情報が記録された光ディスクの再生装置は、据え置き型の場合、例えば、外部の受像機に接続することにより、充分大きい画面で、再生画像を楽しむことができた。
【０００５】
また、携帯型や車載型のビデオＣＤやＤＶＤの再生装置でも、液晶表示装置の低価格化により、例えば、画面サイズが５〜７型のように、再生画像が十分に楽しめる比較的大画面のディスプレイが搭載されるようになってきた。
【０００６】
【発明が解決しようとする課題】
ところで、前述のようなビデオＣＤやＤＶＤの再生装置は、通常の音楽ＣＤを再生することもできる。
【０００７】
ところが、前述のビデオＣＤやＤＶＤの再生装置で、通常の音楽ＣＤを再生する場合、この音楽ＣＤには画像情報が記録されていないので、液晶ディスプレイなどの画面は、いわゆる、ブルーバックになってしまい、再生画像が十分に楽しめるサイズの液晶ディスプレイが有効に活用されないという問題があった。
【０００８】
この発明は、比較的大画面のディスプレイを搭載する再生装置あるいは大画面のディスプレイと接続可能である再生装置として、画像データの記録されていない記録媒体を再生した場合にも、ディスプレイを有効に利用することができるようにすることを目的とする。
【０００９】
【課題を解決するための手段】
前記課題を解決するため、請求項１の発明による再生装置は、
オーディオ情報が記録された記録媒体から、前記オーディオ情報を再生し、出力するオーディオ情報再生出力手段と、
前記記録媒体から、前記オーディオ情報に関連するテキスト情報を再生するテキスト情報再生手段と、
複数の画像情報を格納する画像情報格納手段と、
前記画像情報格納手段から、前記テキスト情報再生手段で再生された前記テキスト情報に関連する画像情報を検索する検索手段と、
前記検索手段で検索された画像情報を出力する出力手段と、
前記記録媒体から得られる識別子と、当該記録媒体を特定するテキスト情報とを、対応付けて格納するテキスト情報格納手段と、
を備え、
前記記録媒体からテキスト情報が得られないときには、前記検索手段は、前記オーディオ情報再生出力手段での再生出力対象の記録媒体からの識別子に基づき、前記テキスト情報格納手段から対応する前記テキスト情報を読み出し、この読み出したテキスト情報に基づいて、前記画像情報格納手段から、画像情報を検索する
ことを特徴とする。
【００１０】
この構成の請求項１の発明による再生装置においては、画像情報が記録されていない記録媒体からのオーディオ情報の再生時、画像情報格納手段に格納された多数の画像情報から、当該記録媒体から再生されたテキスト情報に関連する画像情報が検索されて、表示画面に表示される。テキスト情報とオーディオ情報とは関連しているので、表示画面には、オーディオ情報に関連する画像が表示され、比較的大画面の表示手段が有効に利用される。
【００１１】
また、請求項２の発明による再生装置は、
オーディオ情報が記録された記録媒体から、前記オーディオ情報を再生し、出力するオーディオ情報再生出力手段と、
前記記録媒体から得られる識別子と、当該記録媒体を特定するテキスト情報とを、対応付けて格納するテキスト情報格納手段と、
複数の画像情報を格納する画像情報格納手段と、
前記オーディオ情報再生出力手段での再生出力対象の記録媒体からの識別子に基づき、前記テキスト情報格納手段から対応する前記テキスト情報を読み出し、この読み出したテキスト情報に基づいて、前記画像情報格納手段から、画像情報を検索する検索手段と、
前記検索手段で検索された画像情報を出力する出力手段と、
前記記録媒体から、前記オーディオ情報に関連するテキスト情報を再生するテキスト情報再生手段と、
を備え、
前記テキスト情報格納手段に前記記録媒体から得られる識別子に対応するテキスト情報がないときには、前記検索手段は、前記画像情報格納手段から、前記テキスト情報再生手段で再生された前記テキスト情報に基づいて、画像情報を検索する
ことを特徴とする。
【００１２】
この構成の請求項２の発明による再生装置においては、画像情報が記録されていない記録媒体からのオーディオ情報の再生時、その記録媒体の識別子に基づいて、テキスト情報格納手段から、予め、格納されている当該記録媒体に関連するテキスト情報が読み出され、そのテキスト情報に基づいて、画像情報格納手段に格納された多数の画像情報から、画像情報が検索されて、表示画面に表示される。したがって、画像情報が記録されていない記録媒体の再生時においても、表示部が有効に利用される。
【００１４】
そして、請求項１の発明によれば、記録媒体からテキスト情報が得られない場合においても、テキスト情報格納手段の、予め、記録媒体に対応して格納されているテキスト情報が用いられて、画像情報格納手段から適当な画像情報を検索されて、表示画面に表示される。
【００１６】
また、請求項２の発明によれば、テキスト情報格納手段に記録媒体に対応するテキスト情報が格納されていない場合には、記録媒体からテキスト情報が得られれば、そのテキスト情報が用いられて、画像情報格納手段から適当な画像情報を検索されて、表示画面に表示される。
【００１７】
また、請求項６の発明は、請求項１または請求項２に記載の再生装置において、
前記テキスト情報再生手段により前記記録媒体から再生された前記テキスト情報を、前記記録媒体の識別子と対応を付けて、前記テキスト情報格納手段に格納することを特徴とする。
【００１８】
この請求項６の発明による再生装置においては、同じ記録媒体が再び装着された場合には、記録媒体から識別子などの一部分を読み込むのみで、テキスト情報格納手段から、画像検索に必要なテキスト情報が呼び出されるので、画像検索処理時間が短縮される。
【００１９】
【発明の実施の形態】
以下、図１〜図４を参照しながら、この発明による再生装置の実施の形態について説明する。この実施の形態の再生装置は、ＤＶＤやビデオＣＤなどから画像情報をも再生することができる機能を備えるものであるが、説明の簡単のため、画像再生部分については省略した。
【００２０】
［ＣＤのデータ構成］
まず、この発明の理解を助けるために、図３および図４を参照しながら、音楽用ＣＤ（ＣＤ−ＤＡ）のデータ構成について説明する。
【００２１】
音楽用ＣＤにおいては、内周側のリードイン領域にＴＯＣ（Table Of Contents ）情報が記録されると共に、リードイン領域の外側のプログラム領域にメインのオーディオデータが記録されている。
【００２２】
メインのオーディオデータは、２４バイトの音のデータと８バイトのパリティとをひとまとめにした、フレームと呼ぶ単位のデータ列である。
【００２３】
図３Ａおよび図４Ａに示すように、リードイン領域およびプログラム領域のいずれにおいても、各フレームには、フレーム同期部２０１の後に、８ビットのサブコード部２０２が続いており、更に、データ＆パリティ部２０３が続く。
【００２４】
サブコードのＰ、Ｑ、Ｒ‥‥Ｗの各チャンネルは９８フレームで１つの意味を持つような構造になっているため、アクセスは９８フレーム単位となる。
【００２５】
リードイン領域では、図３Ａに示したデータ＆パリティ部２０３のデータはゼロであり、また、サブコードのＰチャンネルもゼロである。そして、サブコードのＱチャンネルには、図３Ｂに示すようなフォーマットで、ＴＯＣデータが記録される。
【００２６】
一方、プログラム領域では、図４Ｂに示すようなフォーマットで、サブコードのＱチャンネルに、プログラム番号（トラック番号）、楽章番号（インデックス）、各プログラムの時間情報、ＣＤ上の絶対時間情報などの情報が記録される。
【００２７】
ＣＤの再生時、このようなＱチャンネルの情報を表示することによって、演奏中のプログラムが光ディスク上の何番目のプログラムであるのか、演奏の経過時間や始めからの絶対時間などを確認することができる。
【００２８】
なお、サブコードのＰチャンネルは、プログラムスタートの２〜３秒間は“１”で、２〜３秒後に“０”となると共に、トラック番号の間では“１”となる。プログラムの頭出しなどに用いられる。
【００２９】
サブコードのＲ〜Ｗチャンネルの６チャンネル分のデータは、例えば静止画や、曲の歌詞の表示などに用いることが可能である。このようなＲ〜Ｗチャンネルを用いた再生装置は、ＣＤ−グラフィックスとして、既に知られている。
【００３０】
さらに、「ＣＤテキスト」という規格では、ＣＤのリードイン領域のＲ〜Ｗチャンネルに、付加的なテキスト情報が記録されている。このＣＤテキストの場合、６５００バイト程度のテキスト情報を記録することが可能であり、８カ国の言語に対応して、それぞれ８００バイト以下の記録をしてよいことになっている。
【００３１】
テキスト情報は、ＣＤ名（アルバム名、またはプログラム名など）、演奏者名、指揮者名またはオーケストラ名、作詞者名、作曲者名、編曲者名、メッセージ、検索用キーワード、ディスク識別コードなどとなっている。
【００３２】
また、検索用キーワードは、例えば、２バイトのジャンルコードと、ディスク全体を代表する人物名ないしキーワードで決められる。
【００３３】
［実施の形態の構成］
この発明の実施の形態の構成を図１に示す。
【００３４】
図１の実施の形態において、光ディスクの再生装置は、再生系１０と、システム制御系３０とを備える。
【００３５】
前述のようなコンパクトディスク１が、再生系１０のスピンドルモータ１１により、所定の線速度で回転駆動される。また、ディスク１に対向するように光学ピックアップ１２が配設される。
【００３６】
この光学ピックアップ１２は、例えばレーザダイオードなどのレーザ光源、コリメータレンズ、対物レンズ、偏光ビームスプリッタ、円筒レンズなどの光学部品および光検出器などから構成されており、送りモータ１３により、ディスク１の半径方向に移動できるように構成されている。
【００３７】
ディスク１の再生時、光学ピックアップ１２は、ディスク１の目的トラックに照射したレーザ光の反射光を検出することにより、例えば非点収差法によりフォーカスエラーを検出し、また、例えばプッシュプル法によりトラッキングエラーを検出すると共に、目的トラックからの反射光量の違いを検出して、再生ＲＦ信号を出力する。
【００３８】
光学ピックアップ１２の出力は、ＲＦ信号処理回路１４に供給される。ＲＦ信号処理回路１４では、光学ピックアップ１２の出力からフォーカスエラー信号やトラッキングエラー信号が抽出されてサーボ制御回路１５に供給されると共に、再生信号が２値化されてオーディオ信号の再生処理回路１６に供給される。
【００３９】
サーボ制御回路１５では、フォーカスエラーが零になるように、光学ピックアップ１２の光学系のフォーカス制御が行われると共に、トラッキングエラーが零になるように、光学ピックアップ１２の光学系のトラッキング制御が行われる。
【００４０】
再生処理回路１６では、ＥＦＭ復調、デ・インターリーブ、エラー訂正、Ｄ−Ａ変換などの処理が行われて、ディスク１から再生されたオーディオ信号は、一体もしくは別体のオーディオ増幅回路１７を通じて、左右のスピーカ１８Ｌ，１８Ｒに供給され、両スピーカ１８Ｌ，１８Ｒから再生音声が放音される。
【００４１】
また、再生処理回路１６のＥＦＭ復調部において分離されたサブコードがサブコード処理回路２１に供給されて、ＰおよびＱチャンネルとＲ〜Ｗチャンネルとに分離され、このＲ〜ＷチャンネルのサブコードがＣＤテキストデコーダ２２に入力されて、復号されることにより、ＣＤテキストデータが取り出される。
【００４２】
一方、システム制御系３０は、ＣＰＵ３１、ＲＯＭ３２およびＲＡＭ３３を備え、それぞれがシステムバス３４に接続される。ＲＯＭ３２には、後述のような画像検索処理ルーチンなど、各種の制御プログラムが格納され、ＲＡＭ３３は主に演算のための作業領域として利用される。
【００４３】
システムバス３４には、インターフェイス回路３５を介して、操作部３６が接続されると共に、ビデオＲＡＭを含む駆動回路３７を介して、液晶表示素子を用いたディスプレイ３８が接続される。このディスプレイ３８の画面サイズは、例えば、５〜７型のように、比較的大きく設定される。
【００４４】
また、操作部３６は、ＣＤを再生するためのキー、プログラムの選択、サーチのためのキー、いわゆるカスタムファイルを登録するためのキー、カスタムファイルやＣＤテキストなどを選択して表示するためのキーなどを含んでいる。ここで、カスタムファイルとは、ユーザが再生対象のディスクごとに、その識別子に対応して付与したディスク名などのテキスト情報のファイルである。「カスタムファイル」は、例えば、ＣＤチェンジャなどで、複数のディスクの識別のために、使用者が好みの名前を各ディスクに付けて登録するものである。
【００４５】
このような操作部３６からの操作結果に応じて、ＣＰＵ３１により生成された制御データが、システムバス３４に接続されたポート３９を通じて、サーボ制御回路１５に供給され、ディスク１における再生位置が制御されると共に、トラック番号や再生時間などがディスプレイ３８に表示される。
【００４６】
この実施の形態では、システムバス３４にポート４１および不揮発メモリ４２が接続される。上述のサブコード処理回路２１で分離されたＰおよびＱチャンネルのサブコードと、ＣＤテキストデコーダ２２により取り出されたＣＤテキストデータが、ポート４１を介して、ＣＰＵ３１に取り込まれる。
【００４７】
ＣＰＵ３１において、システムにとって必要なデータが選択され、例えば、ＴＯＣ情報、アルバム名、演奏者名、トラック名などが不揮発性メモリ４２のＣＤテキスト記録領域４２ｔに格納される。
【００４８】
また、この実施の形態では、不揮発性メモリ４２に、カスタムファイルの登録領域４２ｆが設けられる。この例では、使用者が、前述の操作部３６の、カスタムファイルを登録するためのキーを操作することにより、例えば８バイトの各カスタムファイルデータと、各ＣＤに固有の識別子の例としてのＴＯＣデータ（例えば総プログラム数およびディスクの総時間）とが、１対１の対応で、不揮発性メモリ４２の登録領域４２ｆに格納される。
【００４９】
そして、カスタムファイルの登録済みのＣＤを再生した場合には、総プログラム数および総時間に関する照合が行われ、ディスクの識別が行われる。
【００５０】
更に、この実施の形態では、大容量のハードディスク４３が、インターフェイス回路４４を介して、システムバス３４に接続されており、次のような各種の画像データが保存される。
【００５１】
画像データは、演奏者の写真などのグラフィックデータなどであり、ＪＰＥＧ、ＭＰＥＧなどの圧縮データとしてハードディスク４３に蓄積される。ハードディスク４３の圧縮データを表示用データのフォーマットに変換する処理は、ＣＰＵ３１において、所要のソフトウェアを用いて実行される。
【００５２】
なお、この実施の形態の再生装置は、所要の画像データがハードディスク４３に予め記録された状態で提供される。すなわち、ハードディスク４３には、例えば、販売中のＣＤのアルバム名に対応する画像情報、既存のタイトル名に対応する画像情報、演奏者、作曲者、作詞者などの写真等が、予め記録されている。
【００５３】
また、この実施の形態では、一度読み込んだディスクのＣＤテキストデータや、カスタムファイルデータが不揮発性メモリ４２に蓄積されるので、同じディスクが再び装着された場合には、ＴＯＣ情報の一部分、この例では、ディスク識別子とされるＴＯＣ情報を読み込むのみで、ＣＤテキストデータやカスタムファイルデータの呼び出しが実行されることにより、次に述べるような画像検索処理を実行する際に、ディスク再生開始までの時間が短縮される。特に、ＣＤテキストデータの場合には、サブコード処理回路２１でのデコード処理を待つことなく、検索ができることになり、時間の短縮になる。
【００５４】
［実施の形態の画像検索処理］
次に、図２をも参照しながら、この発明の実施の形態の画像検索処理について説明する。
【００５５】
この実施の形態では、ＣＤを再生する際に、再生するＣＤのＣＤテキストデータや、カスタムファイルデータに応じて、ＣＰＵ３１が検索キーワードを決定し、ハードディスク４３内に蓄積された画像データを選択して、ディスプレイ３８に表示するようにしている。
【００５６】
図１に示すような再生装置の電源投入に応じて、図２に示すような画像検索処理ルーチン１００がスタートする。
【００５７】
最初のステップ１０１では、コンパクトディスクの装着を待ち、ディスクが装着されると、ステップ１０２に進み、このディスクからＴＯＣ情報などが読み取られる。
【００５８】
次のステップ１０３では、読み取ったＴＯＣ情報などに基づいて、装着されたディスクがＣＤテキストに対応しているか否かが判断される。
【００５９】
装着されたディスクがＣＤテキストに対応している場合は、図示は省略するが、前述のように、ＴＯＣ情報、アルバム名、演奏者名、トラック名などが不揮発性メモリ４２に格納される。しかる後、ステップ１０４に進み、ディスクのアルバム名をキーワードにして、ハードディスクの内容が検索される。
【００６０】
ステップ１０３で、装着されたディスクがＣＤテキストに対応していないと判断された場合、処理はステップ１０５に移行し、ステップ１０２で読み取ったＴＯＣ情報に基づいて、装着されたディスクがカスタムファイル登録されているか否かが判断される。
【００６１】
装着されたディスクがカスタムファイル登録されている場合は、ステップ１０６に進んで、ディスクの登録名をキーワードにして、ハードディスクの内容が検索される。
【００６２】
このステップ１０６からと上述のようなステップ１０４からの処理は、いずれもステップ１０７に進んで、検索された特定の画像、例えば、キーワードが演奏者名であった場合には、その演奏者の写真などがディスプレイに表示される。
【００６３】
一方、ステップ１０５で、装着されたディスクがカスタムファイル登録もされていないと判断された場合には、ステップ１０８に移行して、ディスプレイには予め決められた汎用の画像が表示される。
【００６４】
上述のように、この実施の形態では、音楽用ＣＤが再生装置に装着されると、装着されたＣＤがＣＤテキストに対応している場合、あるいは、カスタムファイル登録されている場合は、ハードディスクに格納された多くの画像から、例えば演奏者の写真のような、特定の画像が検索されてディスプレイに表示され、ＣＤテキストに対応せず、カスタムファイル登録されていない音楽用ＣＤが再生装置に装着された場合は、予め決められた汎用の画像が表示される。
【００６５】
これにより、使用者は、ディスクに画像データが記録されていなくても、比較的大画面のディスプレイ上で適宜の画像を楽しむことができて、ディスプレイが有効に利用される。
【００６６】
［他の実施の形態］
前出図１に破線で示すように、メモリカード４５を、適宜のインターフェイス回路４６を介して、システムバス３４に接続することにより、メモリカード４５を介して、新しくリリースされたＣＤに対応する、新規の画像情報をハードディスク４３に格納することができる。メモリカード４５としては、例えば、本出願人が提供している「メモリースティック」が用いられる。
【００６７】
あるいは、モデムを介して、適宜の配信先からの、インターネットなどのネットワークを介して、新規の画像情報をハードディスク４３に格納することもできる。
【００６８】
図１の実施の形態では、この発明を音楽用ＣＤ再生装置に適用した場合について説明したが、この発明は、ＭＤの再生装置にも同様に適用することができる。また、ＤＶＤやビデオＣＤの再生装置で音楽用ＣＤを再生する場合にも、全く同様に、この発明を適用することができる。
【００６９】
一方、図２に示す画像検索処理では、アルバム名などをキーワードとして、特定の画像を検索したが、前述のように、ＣＤテキスト情報には、検索用キーワードとして、ジャンルコードが存在するので、例えば、クラシック、ポップス、演歌などのような、個々のジャンルごとに、複数の画像をハードディスクに格納しておき、装着されたＣＤのジャンルをキーワードとして検索することにより、特定のジャンルに対応する複数の画像を択一的に表示するようにすることもできる。
【００７０】
この場合、前述のＣＤチェンジャの最大収容枚数に対応して、ジャンルごとに、例えば、１２種の画像を準備し、それを１画面に分割表示するようにすることもできる。
【００７１】
また、１枚のＣＤでも、曲ごとに演奏者が異なることもあるので、このような場合は、演奏者をキーワードとして、前述のような検索を実効することにより、ＣＤのトラックごとに表示する画像を変えることができる。
【００７２】
そして、例えば、カスタムファイルを利用することにより、使用者が表示させる画像を選べるようにしてもよい。
【００７３】
さらに、一度検索を実施した画像のファイル名を、ディスクのＴＯＣに対応させて、不揮発性メモリ４２に、蓄積することにより、画像検索の手順を省くこともできる。
【００７４】
また、上述の例では、ディスプレイ３８を再生装置が備えるようにしたが、再生装置に表示画像情報出力端子を設け、その出力端子に、外部のモニタ受像機などを接続するようにしてもよい。
【００７５】
また、図２のフローチャートにおいては、ＣＤテキストによる検索を、カスタムファイルによる検索に優先させるようにしたが、カスタムファイルによる検索の方を、ＣＤテキストによる検索よりも優先させるようにしてもよい。
【００７６】
なお、記録媒体としては、光ディスクに限られるものではなく、半導体メモリ等であってもよいことはいうまでもない。
【００７７】
【発明の効果】
以上説明したように、この発明によれば、記録媒体に画像情報が記録されていなくても、所定のオーディオ情報に対応する特定の画像情報を検索して表示することにより、比較的大画面の表示手段を有効に利用することができる。
【００７８】
また、同じ、記録媒体が再び装着されて、画像検索処理をする際に、ディスク再生開始までの時間を短縮することができる。
【図面の簡単な説明】
【図１】この発明による光ディスクの再生装置の実施の形態の構成を示すブロック図である。
【図２】この発明の実施の形態の動作を説明するための流れ図である。
【図３】この発明を説明するための概念図である。
【図４】この発明を説明するための概念図である。
【符号の説明】
１…コンパクトディスク（ＣＤ）、１０…再生系、１１…スピンドルモータ、１２…光学ピックアップ、１４…ＲＦ信号処理回路、１５…サーボ制御回路、１６…再生処理回路、１７…オーディオ増幅回路、２１…サブコード処理回路、２２…ＣＤテキストデコーダ、３０…システム制御系、３１…ＣＰＵ、３２…ＲＯＭ、３３…ＲＡＭ、３４…システムバス、３６…操作部、３８…ディスプレイ、４２…不揮発メモリ、４２ｆ…カスタムファイル登録領域、４２ｔ…ＣＤテキスト記録領域、４３…ハードディスク、４５…メモリカード、１００…画像検索処理ルーチン
【図１】
0004048636.tif 000002
【図２】
0004048636.tif 000003
【図３】
0004048636.tif 000004
【図４】
0004048636.tif 000005